【事件の表示】
　平成１１年特許願第２５２８０６号「弾球遊技機」拒絶査定不服審判事件〔平成１３年３月２１日出願公開、特開２００１−７０５９６〕について、次のとおり審決する。
【結　論】
　本件審判の請求は、成り立たない。
【理　由】
第１　手続の経緯
　本願は、平成１１年９月７日に出願された特願平１１−２５２８０６号の特許出願であって、平成１２年１０月１１日付の原審における拒絶理由通知に対し平成１２年１２月１５日付で明細書を補正する手続補正書が意見書とともに提出され、平成１３年５月１０日付で拒絶査定がなされたところ、前記拒絶査定を不服として、平成１３年６月２０日に拒絶査定不服の審判が請求されるとともに、同日の平成１３年６月２０日付で明細書を補正する手続補正書が提出され、さらに、その後の平成１３年７月１７日付で明細書を補正する手続補正書が提出されたものである。
　
第２　
平成１３年７月１７日付の手続補正
　
［補正の却下の決定の結論］
　平成１３年７月１７日付の手続補正を却下する。
　
［理由］
１．補正の内容
　平成１３年７月１７日付の手続補正は、平成１２年１２月１５日付の手続補正により補正された拒絶査定時の明細書の特許請求の範囲についての
「【請求項１】　主に遊技盤（３）側の遊技動作を制御する主制御手段（４３）を設けた主制御基板（４１）と、払い出し手段（３３）の払い出し動作を制御する払い出し制御手段（４９）を設けた払い出し制御基板（３６）とを別々に備え、それら主制御基板（４１）及び払い出し制御基板（３６）に、遊技状態に関連する遊技データを記憶可能なＲＡＭ（４６）（５７）を夫々備えた弾球遊技機であって、主電源手段からの電源供給が停止したときでも前記ＲＡＭ（４６）（５７）に記憶データ維持用のバックアップ電源を供給可能なバックアップ電源手段（５２）（６１）を、前記主制御基板（４１）と前記払い出し制御基板（３６）とに夫々設けたことを特徴とする弾球遊技機。
　【請求項２】　ＣＰＵ（４４）（５５）と前記ＲＡＭ（４６）（５７）とを内蔵する単一集積回路素子（６５）を備え、該単一集積回路素子（６５）に、前記ＲＡＭ（４６）（５７）にのみバックアップ電源を供給するための電源端子（５０）（５９）を設け、該電源端子（５０）（５９）に前記バックアップ電源手段（５２）（６１）を接続したことを特徴とする請求項１に記載の弾球遊技機。
　【請求項３】　前記主制御手段（４３）側から前記払い出し制御手段（４９）側へと一方向通信にてコマンド送信可能に構成し、前記ＲＡＭ（４６）（５７）を前記主制御手段（４３）及び／又は前記払い出し制御手段（４９）に備えたことを特徴とする請求項１又は２に記載の弾球遊技機。
　【請求項４】　前記主制御手段（４３）は、前記払い出し制御手段（４９）に送信されるコマンドを該主制御手段（４３）側の前記ＲＡＭ（４６）に記憶する機能と、一旦前記払い出し制御手段（４９）にコマンドを送信した後に前記ＲＡＭ（４６）から該コマンドを読み出して前記払い出し制御手段（４９）に再送信可能にする機能とを備えたことを特徴とする請求項１〜３の何れかに記載の弾球遊技機。
　【請求項５】　遊技状態に関連するデータを記憶する記憶手段を備え、該記憶手段は、電源供給が停止しても記憶データを維持可能な機能を備えたことを特徴とする請求項１〜４の何れかに記載の弾球遊技機。
　【請求項６】　前記ＲＡＭ（４６）（５７）内の記憶データをリセット可能なリセット手段（５３）（６２）を備えたことを特徴とする請求項１〜５の何れかに記載の弾球遊技機。」
の記載を、
「【請求項１】　主に遊技盤（３）側の遊技動作を制御する主制御手段（４３）を設けた主制御基板（４１）と、払い出し手段（３３）の払い出し動作を制御する払い出し制御手段（４９）を設けた払い出し制御基板（３６）とを別々に備え、それら主制御基板（４１）及び払い出し制御基板（３６）に、遊技状態に関連する遊技データを記憶可能なＲＡＭ（４６）（５７）を夫々備えた弾球遊技機であって、主電源手段からの電源供給が停止したときでも前記ＲＡＭ（４６）（５７）に記憶データ維持用のバックアップ電源を供給可能なバックアップ電源手段（５２）（６１）を、前記主制御基板（４１）と前記払い出し制御基板（３６）とに夫々設け
、前記主制御手段（４３）は、前記払い出し制御手段（４９）に送信されるコマンドを該主制御手段（４３）側の前記ＲＡＭ（４６）に記憶する機能と、一旦前記払い出し制御手段（４９）にコマンドを送信した後、停電後の電源復旧により電源が供給されたときに前記ＲＡＭ（４６）から該コマンドを読み出して前記払い出し制御手段（４９）に再送信可能にする機能とを備え
　【請求項２】　ＣＰＵ（４４）（５５）と前記ＲＡＭ（４６）（５７）とを内蔵する単一集積回路素子（６５）を備え、該単一集積回路素子（６５）に、前記ＲＡＭ（４６）（５７）にのみバックアップ電源を供給するための電源端子（５０）（５９）を設け、該電源端子（５０）（５９）に前記バックアップ電源手段（５２）（６１）を接続したことを特徴とする請求項１に記載の弾球遊技機。」
と補正する（以下、この補正を「
本件補正１の補正
　
２．補正の適否の検討
　しかして、上記本件補正１の補正は、平成１３年６月２０日の拒絶査定不服審判の請求の日から３０日以内になされた補正であるから、特許法第１７条の２第１項第３号に該当する補正であることは明らかである。
　そして、請求項１についての上記本件補正１の補正は、補正前の請求項１に記載されていた「主制御手段（４３）」について、「前記主制御手段（４３）は、前記払い出し制御手段（４９）に送信されるコマンドを該主制御手段（４３）側の前記ＲＡＭ（４６）に記憶する機能と、一旦前記払い出し制御手段（４９）にコマンドを送信した後、停電後の電源復旧により電源が供給されたときに前記ＲＡＭ（４６）から該コマンドを読み出して前記払い出し制御手段（４９）に再送信可能にする機能とを備えた」の発明特定事項を補正前の請求項１に係る発明に付加することにより請求項１に係る発明を限定的に補正するものであって、同法第１７条の２第４項第２号の「特許請求の範囲の減縮」を目的とするものに該当する。
　
　上記のとおり、請求項１についての本件補正１の補正が、特許法第１７条の２第４項第２号の「特許請求の範囲の減縮」を目的とする補正であるので、本件補正１の補正後の請求項１に記載された発明が特許出願の際独立して特許を受けることができるものであるか否か、すなわち、平成１５年改正前の特許法第１７条の２第５項において準用する同法第１２６条第４項の規定に適合するか否かについて、以下に検討する。
　
３．独立特許要件の有無
（１）本願の本件補正１の補正後の発明
　本件補正１の補正後の請求項１に記載された発明（以下、これを「
本願補正発明１
「主に遊技盤（３）側の遊技動作を制御する主制御手段（４３）を設けた主制御基板（４１）と、払い出し手段（３３）の払い出し動作を制御する払い出し制御手段（４９）を設けた払い出し制御基板（３６）とを別々に備え、それら主制御基板（４１）及び払い出し制御基板（３６）に、遊技状態に関連する遊技データを記憶可能なＲＡＭ（４６）（５７）を夫々備えた弾球遊技機であって、主電源手段からの電源供給が停止したときでも前記ＲＡＭ（４６）（５７）に記憶データ維持用のバックアップ電源を供給可能なバックアップ電源手段（５２）（６１）を、前記主制御基板（４１）と前記払い出し制御基板（３６）とに夫々設け、前記主制御手段（４３）は、前記払い出し制御手段（４９）に送信されるコマンドを該主制御手段（４３）側の前記ＲＡＭ（４６）に記憶する機能と、一旦前記払い出し制御手段（４９）にコマンドを送信した後、停電後の電源復旧により電源が供給されたときに前記ＲＡＭ（４６）から該コマンドを読み出して前記払い出し制御手段（４９）に再送信可能にする機能とを備えたことを特徴とする弾球遊技機。」
　
（２）引用刊行物及び該引用刊行物の記載事項
　ア．原審における拒絶査定の理由に引用された刊行物であって本願特許出願前に頒布された特開平５−１５６４６号公報（以下、「
引用刊行物１
「【００１２】【実施例】　図１には本発明を適用したパチンコ遊技機１００の裏機構の一実施例が示されている。　図１において、……６００は入賞検出器等からの信号に基づいて上記球排出装置１７０を制御して所定数の賞品球を排出させる排出制御装置、……」
「【００１３】　また、……４００は遊技部に設けられた入賞検出器からの信号に基づいて役物や表示ランプを駆動する遊技盤制御装置である。……」
「【００１４】　上記遊技盤制御装置４００と排出制御装置６００とは、３本の信号線からなるコードによって接続される。特に限定されるものでないがこの実施例では、遊技盤制御装置４００と排出制御装置６００から引き出されたコード１９１，１９２の一端が中継基板１９５に接続されており、中継基板１９５を介して遊技盤制御装置４００と排出制御装置６００とが通信可能に結合されている。」
「【００２２】　……。図３には、パチンコ遊技機１００の制御系の一実施例が示されている。この制御系は、主としてパチンコ遊技機１００の遊技盤に関する制御を司る遊技盤制御装置４００と、上記球排出装置１７０の制御を司る排出制御装置６００とにより構成されており、上記遊技制御装置４００と上記排出制御装置６００との間は３本の信号線で接続され、このうち１本は遊技制御装置４００から上記排出制御装置６００へ同期信号としてのクロックＣＫを送信するために使用され、他の２本は両制御装置間の双方向データ通信ＲＤ，ＳＤに使用される。
　【００２３】　上記制御装置のうち遊技盤制御装置４００には、パチンコ遊技機の遊技盤１０２に設けられている各種入賞球検出器から検出信号が入力されており、役物のソレノイドやモータ、表示ランプを駆動したり大当りの発生を検出して役物や変動入賞装置等を所定の手順に従って駆動制御するとともに、賞球数データを決定し、排出制御装置６００に対して送信する。」
「【００２６】　図４には上記遊技盤制御装置４００の構成例が示されている。すなわち、この実施例の遊技盤制御装置４００は、排出制御装置６００との間の信号の送受信を行なう通信手段４１０と、遊技盤１０２の賞球別入賞検出器からの検出信号を計数し保持する２つの入賞記憶手段４２１，４２２と、各入賞記憶手段４２１，４２２に対応した賞球数を記憶する賞球数記憶手段４３０と、上記入賞記憶手段４２１，４２２の記憶内容に基づいて排出すべき賞品球数を決定する賞球数制御手段４４０と、遊技盤１０２からの信号に基づいて役物のソレノイドやモータ、表示ランプを駆動したり大当りの発生を検出して役物や変動入賞装置等を所定の手順に従って駆動制御したり、スピーカ１９０を駆動するなど遊技に関する制御を行なう遊技制御手段４５０と、遊技盤１０２からの信号を受けたり遊技盤上の表示ランプやモータ、ソレノイド、スピーカ等の駆動信号を形成する信号入出力手段４６０とにより構成されている。」
「【００３２】　図６においては、図４に示されている構成手段のうち、入賞記憶手段４２１，４２２はＲＡＭによって、また、賞球数記憶手段４３０はＲＯＭによって、通信手段４１０と賞球数制御手段４４０と遊技制御手段４５０はＣＰＵおよびその動作プログラムを記憶するＲＯＭによって、さらに信号入出力手段４６０はドライバＤＲＶ、フィルタＦＬＴ、サウンドジェネレータＳＤＧおよびアンプＡＭＰによって、それぞれ構成することができる。」
「【００３４】　図７には排出制御装置６００の構成例を示す。この実施例の排出制御装置６００は、遊技盤制御装置４００との間の信号の送受信を行なう通信制御手段６１０と、セーフセンサ１８１からの検出信号に基づいて上記遊技盤制御装置４００に対して賞球数データの要求信号を送信させる賞球数要求手段６２０と、排出ソレノイド７４１ａ，７４１ｂを駆動して賞品球の排出や球抜を行なう排出制御手段６５０と、停電時のデータセーブおよびデータ復帰を行なう停電制御手段６９０とにより構成されている。」
「【００３６】　停電制御手段６９０は、例えば交流電源の電源波形の波の数を数えて所定数以下になったときに停電の発生を検出すると、排出制御手段６５０内の排出数を例えば電池によりバックアップされたＲＡＭもしくはＥＰＲＯＭ等の記憶手段６９３にセーブし、電圧レベル検出手段等からの信号に基づいて電源電圧の回復を検出すると、記憶手段６９３にセーブされていた排出球数を排出制御手段６５０内の排出レジスタに復帰させて、停電により中断された排出を停電回復時に途中から続行させて、残りの球を排出させるように構成されている。」
　そうすると、上記引用刊行物１における前記摘記事項及び添付図面における記載からみて、引用刊行物１には、
　「遊技部に設けられた入賞検出器からの信号に基づいて役物や表示ランプを駆動することによりパチンコ遊技機１００の遊技盤１０２に関する制御を司る遊技盤制御装置４００と球排出装置１７０の制御を司り所定数の賞品球を排出させる排出制御装置６００とが中継基板１９５を介して通信可能に接続されており、
　一方の前記遊技盤制御装置４００は、排出制御装置６００との間の信号の送受信を行なう通信手段４１０と、遊技盤１０２の賞球別入賞検出器からの検出信号を計数し保持するＲＡＭからなる２つの入賞記憶手段４２１，４２２と、各入賞記憶手段４２１，４２２に対応した賞球数を記憶するＲＯＭからなる賞球数記憶手段４３０と、上記入賞記憶手段４２１，４２２の記憶内容に基づいて排出すべき賞品球数を決定する賞球数制御手段４４０と、遊技盤１０２からの信号に基づいて役物のソレノイドやモータ、表示ランプを駆動したり大当りの発生を検出して役物や変動入賞装置等を所定の手順に従って駆動制御したり、スピーカ１９０を駆動するなど遊技に関する制御を行なう遊技制御手段４５０と、遊技盤１０２からの信号を受けたり遊技盤上の表示ランプやモータ、ソレノイド、スピーカ等の駆動信号を形成する信号入出力手段４６０とにより構成されていて、
　パチンコ遊技機１００の遊技盤１０２に設けられている各種入賞球検出器から前記遊技盤制御装置４００への検出信号の入力により、役物のソレノイドやモータ、表示ランプを駆動したり大当りの発生を検出して役物や変動入賞装置等を所定の手順に従って駆動制御するとともに、賞球数データを決定し、前記排出制御装置６００に対して送信するものであり、
　他方の前記排出制御装置６００は、遊技盤制御装置４００との間の信号の送受信を行なう通信制御手段６１０と、セーフセンサ１８１からの検出信号に基づいて上記遊技盤制御装置４００に対して賞球数データの要求信号を送信させる賞球数要求手段６２０と、排出ソレノイド７４１ａ，７４１ｂを駆動して賞品球の排出や球抜を行なう排出制御手段６５０と、停電時のデータセーブおよびデータ復帰を行なう停電制御手段６９０とにより構成されていて、
　前記停電制御手段６９０が停電の発生を検出した場合に、排出制御手段６５０内の排出数をバックアップされたＲＡＭもしくはＥＰＲＯＭからなる記憶手段６９３にセーブし、電圧レベル検出手段等からの信号に基づいて電源電圧の回復を検出した場合に、前記記憶手段６９３にセーブされていた排出球数を排出制御手段６５０内の排出レジスタに復帰させて、停電により中断された排出を停電回復時に途中から続行させて、残りの球を排出させるように構成されたパチンコ遊技機」の発明（以下、これを「
引用発明１
　
　イ．原審における拒絶査定の理由に引用された刊行物であって本願特許出願前に頒布された特開平１０−２８７６７号公報（以下、「
引用刊行物２
「【００２７】　以上、説明したパチンコ遊技機１と景品玉払出装置４０は、前記したように、遊技制御回路基板６９と景品玉払出制御回路基板７０とによって駆動制御されるものであるが、この遊技制御回路基板６９と景品玉払出制御回路基板７０とは、図１１及び図１２に示すように配線接続される。すなわち、遊技制御回路基板６９は、基板ボックス７１内に収納されて機構板２６の裏面に設けられる係止具７２ａ，７２ｂによって着脱自在に取り付けられている。一方、景品玉払出制御回路基板７０は、機構板２６に形成された収納凹部に収納固定され、その表面を開閉自在なカバー蓋７３で被覆された状態で設けられる。」
「【００３３】　一方、景品玉払出制御回路基板７０には、演算回路８６と該演算回路８６で演算された演算結果を記憶する複数の記憶回路８７〜８９と、該記憶回路８７〜８９の記憶値のいずれかを選択する選択回路９０と、該選択回路９０によって選択された記憶値に基づいて景品玉の払出動作に関連するすべてを制御する払出制御回路９１と、該払出制御回路９１の制御結果に基づいていずれかの記憶回路８７〜８９の記憶値を減算させる分岐回路９２とを含んでいる。なお、記憶回路８７〜８９には、電源回路１００に接続されるバックアップ電源１０１からバックアップ電流が供給されるようになっており、停電時にその記憶値が消滅しないようになっている。」
　
　ウ．原審における拒絶査定の理由に引用された刊行物であって本願特許出願前に頒布された特開平８−２２９１９２号公報（以下、「
引用刊行物３
「【特許請求の範囲】
　【請求項１】　所定条件の成立により遊技者に遊技価値が付与可能となる遊技機を含む遊技用装置であって、前記遊技機の遊技状態を制御する遊技制御手段と、該遊技制御手段に設けられ、前記遊技機の遊技状態に関する遊技状態情報を記憶する遊技状態情報記憶手段と、前記遊技制御手段に設けられ、前記遊技機の遊技状態の変化に応じて前記遊技状態情報記憶手段に記憶されている遊技状態情報を更新する遊技状態情報更新手段と、停電した場合に所定期間のみ前記遊技状態情報記憶手段に記憶保持用の電力を供給する一時記憶用電力供給手段とを含むことを特徴とする、遊技用装置。
　【請求項２】　前記遊技状態情報を前記遊技制御手段の外部に出力する外部出力手段をさらに含むことを特徴とする、請求項１記載の遊技用装置。
　【請求項３】　前記遊技機に供給される電源電圧の低下を検出して停電警告信号を出力する停電警告信号出力手段をさらに含み、前記外部出力手段は、前記停電警告信号を受信してその受信時における前記遊技状態情報を外部出力することを特徴とする、請求項２記載の遊技用装置。」
「【０００５】　本発明は、係る実情に鑑み考え出されたものであり、その目的は、停電発生に伴なう遊技者への補償を可能にするとともに、遊技場側が遊技者にとって有利な遊技状態にセットした状態でその有利な遊技状態から遊技者が遊技を開始できるように予めお膳立てをしておくという遊技場における不正行為も極力防止できる遊技用装置を提供することである。」
「【００１０】【作用】　請求項１に記載の本発明によれば、遊技制御手段の働きにより、遊技機の遊技状態が制御される。その遊技制御手段に設けられた遊技状態情報記憶手段の働きにより前記遊技機の遊技状態に関する情報が記憶される。前記遊技制御手段に設けられた遊技状態情報更新手段の働きにより、遊技機の遊技状態の変化に応じて前記遊技状態情報記憶手段に記憶されている遊技状態情報が更新される。さらに、一時記憶用電力供給手段の働きにより、停電した場合に所定期間のみ前記遊技状態情報記憶手段に記憶保持用の電力が供給される。
　【００１１】　請求項２に記載の本発明によれば、請求項１に記載の発明の作用に加えて、外部出力手段の働きにより、前記遊技状態情報が前記遊技制御手段外部に出力される。
　【００１２】　請求項３に記載の本発明によれば、請求項２に記載の発明の作用に加えて、電源電圧が低下すれば停電警告信号出力手段から停電警告信号が出力され、その信号を外部出力手段が受信してその受信時における遊技状態情報が外部出力される。」
「【００４４】　この状態で、停電が発生して電源回路５４から電力が供給されなくなった場合には、コンデンサ５８から所定期間（たとえば１０〜６０分程度）ＲＡＭ５９に電力が供給され、ＲＡＭ５９の記憶データが消去されないように保持される。そして、ＲＡＭ５９の記憶データが外部状態表示装置５７に伝送されてその外部状態表示装置５７により表示される。ＲＡＭ５９には、前述したように、パチンコ遊技機の遊技状態に関する情報（遊技状態情報）が逐次記憶されるのであり、停電により電源回路５４からの供給電源がＯＦＦになれば、そのＯＦＦになった時点におけるパチンコ遊技機の遊技状態に関する情報が最終的な遊技状態に関する情報としてＲＡＭ５９に記憶された状態となっている。その最終的な遊技状態に関する情報すなわち停電時における遊技状態に関する情報がＲＡＭ５９から外部状態表示装置５７に伝送されてその外部状態表示装置５７により表示されることになる。この外部状態表示装置５７による表示は、コンデンサ５８に蓄電された電気が放電されてなくなりＲＡＭ５９の記憶データを保持できなくなるまで表示され続ける。そして、このコンデンサ５８からのバックアップの電力がＲＡＭ５９に供給されている期間中に、停電が復旧した場合には、ＣＰＵ６２は、その停電時における遊技状態に関する情報を記憶しているＲＡＭ５９からその情報を読出し、停電発生時におけるパチンコ遊技機の遊技状態から遊技を再スタートさせる。その結果、たとえば大当り制御中に停電が起こり、コンデンサ５８によるバックアップの電力が供給されている期間中に停電が復旧した場合には、その大当り制御の状態から遊技がスタートすることとなり、遊技者に遊技状態に関する補償を行なうことができ、遊技者が不測の不利益を被ることが防止できる。……。
　【００４５】　また外部状態表示装置５７により停電発生時点でのパチンコ遊技機の表示状態が表示されて遊技場の係員が認識することができるため、停電時の遊技状態を遊技場側が把握しやすくなる。」
「【００９２】　図１９は、可変表示装置４の可変表示部５に前記遊技機の遊技状態に関する情報を表示させる場合の別実施例を示す正面図である。この図１９に示す別実施例は、前記図１１に示した制御回路における、外部状態表示装置５７のＣＰＵ８１とＲＯＭ８２とＲＡＭ８３とＥＥＰＲＯＭ８４の機能を画像表示制御基板６５に設けたものである。そして、画像表示制御基板６５に設けられたＲＯＭ８２，ＣＰＵ８１，ＲＡＭ８３，ＥＥＰＲＯＭ８４ならびに画像表示器７５に対し、バックアップ電源８０から停電時にバックアップ電力が供給されるように構成する。さらに、画像表示制御基板６５に設けられたＣＰＵ８１に対し、停電時に停電検知回路７９から停電警告信号が入力されるように構成する。このように構成することにより、停電警告信号が入力されたＣＰＵ８１では、主基板５３に設けられたＲＡＭ５９に記憶されている遊技機の遊技状態に関する情報を読取り、ＥＥＰＲＯＭ８４に記憶させるとともに画像表示器７５にその遊技状態に関する情報を出力して画像表示するように制御する。この画像表示器７５で表示される可変表示部５に、図１９に示すように遊技機の遊技状態に関する情報を、すなわち、可変入賞球装置１０の繰返し継続制御の実行回数が５ラウンドに達している旨，始動入賞記憶数が４個である旨，可変入賞球装置１０への入賞玉数の合計が７個に達している旨が表示される。なお、この図１９に示す可変表示部５での遊技状態に関する情報の表示も、遊技場の係員が操作可能な操作手段の一例のスイッチ等の操作により表示するようにしてもよく、表示内容を選択操作する操作手段の一例のスイッチが遊技場の係員により操作されたことによりその操作によって選択された情報のみが表示されるようにしてもよく、さらには、停電発生と同時に自動的に遊技機の遊技状態に関する情報が表示されるようにしてもよい。」
　
（３）対比及び一致点・相違点
　ア．対比
　ここで、本願補正発明１と前記引用発明１とを対比すると、引用発明１における「遊技盤１０２」、「球排出装置１７０」、「遊技制御手段４５０」、「排出制御手段６５０」及び「パチンコ遊技機」のそれぞれが、本願補正発明１の「遊技盤（３）」、「払い出し手段（３３）」、「主制御手段（４３）」、「払い出し制御手段（４９）」及び「弾球遊技機」のそれぞれに対応する。
　また、引用発明１の「遊技盤制御装置４００」及び「排出制御装置６００」は、それぞれ種々の制御回路を有する制御基板からなるものであり、両者は中継基板１９５を介して通信可能に接続されているものであるから、本願補正発明１の別基板構成とされた「主制御手段（４３）を設けた主制御基板（４１）」及び「払い出し制御手段（４９）を設けた払い出し制御基板（３６）」に対応するといえる。
　さらに、引用発明１における「遊技盤制御装置４００に備えられ、遊技盤１０２の賞球別入賞検出器からの検出信号を計数し保持するＲＡＭからなる２つの入賞記憶手段４２１，４２２」及び「排出制御装置６００に備えられ、排出制御手段６５０内の排出数をバックアップされたＲＡＭからなる記憶手段６９３」のそれぞれが、本願補正発明１の「主制御基板（４１）に備えられた遊技状態に関連する遊技データを記憶可能なＲＡＭ（４６）」及び「払い出し制御基板（３６）に備えられた遊技状態に関連する遊技データを記憶可能なＲＡＭ（５７）」のそれぞれに対応するといえる。
　そして、引用発明１の「排出制御装置６００に備えられた、停電時のデータセーブおよびデータ復帰を行なう停電制御手段６９０」は、停電の発生を検出した場合に、排出制御手段６５０内の排出数をバックアップされたＲＡＭからなる記憶手段６９３にセーブし、電圧レベル検出手段等からの信号に基づいて電源電圧の回復を検出した場合に、前記記憶手段６９３にセーブされていた排出球数を排出制御手段６５０内の排出レジスタに復帰させて、停電により中断された排出を停電回復時に途中から続行させて、残りの球を排出させるものであるから、引用発明１の前記「排出制御装置６００に備えられた、停電時のデータセーブおよびデータ復帰を行なう停電制御手段６９０」は、本願補正発明１の「払い出し制御基板（３６）に設けられ、主電源手段からの電源供給が停止したときでも前記ＲＡＭ（５７）に記憶データ維持用のバックアップ電源を供給可能なバックアップ電源手段（６１）」の果たす機能を具備するものといえる。
　また、引用発明１の前記「遊技盤１０２の賞球別入賞検出器からの検出信号を計数し保持するＲＡＭからなる２つの入賞記憶手段４２１，４２２」は、本願補正発明１の「主制御基板（４１）に備えられた遊技状態に関連する遊技データを記憶可能なＲＡＭ（４６）」に対応するものであり、本願補正発明１のＲＡＭ（４６）が有する「前記払い出し制御手段（４９）に送信されるコマンドを該主制御手段（４３）側の前記ＲＡＭ（４６）に記憶する機能」と同じように、「排出制御装置６００に送信されるコマンドを遊技盤制御装置４００側のＲＡＭからなる２つの入賞記憶手段４２１，４２２に記憶する機能」を有しているといえる。
　
　イ．一致点・相違点
　そうしてみると、本願補正発明１と引用発明１とは、「主に遊技盤側の遊技動作を制御する主制御手段を設けた主制御基板と、払い出し手段の払い出し動作を制御する払い出し制御手段を設けた払い出し制御基板とを別々に備え、それら主制御基板及び払い出し制御基板に、遊技状態に関連する遊技データを記憶可能なＲＡＭを夫々備えた弾球遊技機であって、主電源手段からの電源供給が停止したときでも前記ＲＡＭに記憶データ維持用のバックアップ電源を供給可能なバックアップ電源手段を、前記払い出し制御基板とに設け、前記主制御手段は、前記払い出し制御手段に送信されるコマンドを該主制御手段側の前記ＲＡＭに記憶する機能を備えたことを特徴とする弾球遊技機」である点で構成が一致し、次の点で構成が相違する。
　
相違点１
　
相違点２
　
（４）相違点についての判断
　ア．
相違点１
　弾球遊技機の払い出し制御基板に「主電源手段からの電源供給が停止したときでも記憶手段に記憶データ維持用のバックアップ電源を供給可能なバックアップ電源手段」を備えるようにする技術は、前記した引用刊行物１に記載されている引用発明１の他に上記引用刊行物２（特開平１０−２８７６７号公報）にも記載されているとおり、本件特許出願時の周知技術である。
　一方、弾球遊技機の主制御基板に「主電源手段からの電源供給が停止したときでも記憶手段に記憶データ維持用のバックアップ電源を供給可能なバックアップ電源手段」を備えるようにする技術も、本件特許出願時の周知技術〔その一例として、引用刊行物３（特開平８−２２９１９２号公報）を参照〕である。
　さらに、引用刊行物１及び上記引用刊行物２、或いは引用刊行物３にそれぞれ記載されているような、払い出し制御基板と主制御基板の制御基板のうちの片方にだけバックアップ電源手段を設けるのではなく、払い出し制御基板と主制御基板との双方に「主電源手段からの電源供給が停止したときでもＲＡＭに記憶データ維持用のバックアップ電源を供給可能なバックアップ電源手段」を備えるようにすることも、本件特許出願時の周知技術〔その例として、特開平６−７１０２８号公報の図７の「電気的制御装置５６に設けられた記憶保護手段１２５’及び排出制御装置５８に設けられた記憶保護手段１２５」の図示、段落【００６３】及び段落【００６４】の各記載；特開平１０−８５４２１号公報の図３及び図９の「遊技制御基板６７に設けられたバックアップ電源１２５及び持点制御基板９１に設けられたバックアップ電源１１４」の図示；特開平１０−２３００６２号公報の段落【００３８】の記載を参照〕である。
　そうしてみると、引用発明１のパチンコ遊技機に前記周知技術を適用することにより、本願補正発明１の相違点１に係る「主制御基板に主電源手段からの電源供給が停止したときでも前記ＲＡＭに記憶データ維持用のバックアップ電源を供給可能なバックアップ電源手段」を備えるようにすることは、当業者が困難性を伴うことなく容易に想到できることである。
　
　イ．
相違点２
　例えばデータ送信技術における停電等のトラブルに対する解決手段に関する一般的な技術では、コマンドを送信した後、停電後の電源復旧により電源が供給されたときにＲＡＭから該コマンドを読み出して再度送信できるようにする技術は、本件特許出願時の周知技術〔その一例として、実願平４−９１８３６号（実開平６−５２２６５号公報）のＣＤ−ＲＯＭを参照〕である。
　そうしてみると、一旦前記払い出し制御手段にコマンドを送信した後、停電後の電源復旧により電源が供給されたときに払い出し手段に遊技球を払い出させるに際して、引用発明１のパチンコ遊技機の主制御手段に「ＲＡＭから該コマンドを読み出して前記払い出し制御手段に再送信可能にする機能」の前記周知技術を適用することにより、本願補正発明１の相違点２に係る前記構成を得ることは、当業者が困難性を伴うことなく容易に想到できることである。
　
　そして、本願補正発明１の奏する作用・効果は、上記引用発明１及び周知技術から予測できる範囲内のものであって、格別顕著のものということができない。
　
　エ．まとめ
　したがって、本願補正発明１は、上記引用発明１及び周知技術に基いて当業者が容易に発明をすることができたものであるから、本願補正発明１は特許法第２９条第２項の規定により、特許を受けることができない。
　
（５）むすび
　以上のとおりであり、本件補正１の補正後の特許請求の範囲に記載された請求項１に係る発明が、平成１５年改正前の特許法第１７条の２第５項において準用する同法第１２６条第４項に規定するところの「特許出願の際独立して特許を受けることができるもの」に適合していないから、本件補正１の補正は、同法第１５９条第１項において読み替えて準用する同法第５３条第１項の規定により却下すべきものである。
　
第３　
平成１３年６月２０日付の手続補正
　
［補正の却下の決定の結論］
　平成１３年６月２０日付の手続補正を却下する。
　
［理由］
１．補正の内容
　平成１３年６月２０日付の手続補正は、平成１２年１２月１５日付の手続補正により補正された拒絶査定時の明細書の特許請求の範囲についての
「【請求項１】　主に遊技盤（３）側の遊技動作を制御する主制御手段（４３）を設けた主制御基板（４１）と、払い出し手段（３３）の払い出し動作を制御する払い出し制御手段（４９）を設けた払い出し制御基板（３６）とを別々に備え、それら主制御基板（４１）及び払い出し制御基板（３６）に、遊技状態に関連する遊技データを記憶可能なＲＡＭ（４６）（５７）を夫々備えた弾球遊技機であって、主電源手段からの電源供給が停止したときでも前記ＲＡＭ（４６）（５７）に記憶データ維持用のバックアップ電源を供給可能なバックアップ電源手段（５２）（６１）を、前記主制御基板（４１）と前記払い出し制御基板（３６）とに夫々設けたことを特徴とする弾球遊技機。
　【請求項２】　ＣＰＵ（４４）（５５）と前記ＲＡＭ（４６）（５７）とを内蔵する単一集積回路素子（６５）を備え、該単一集積回路素子（６５）に、前記ＲＡＭ（４６）（５７）にのみバックアップ電源を供給するための電源端子（５０）（５９）を設け、該電源端子（５０）（５９）に前記バックアップ電源手段（５２）（６１）を接続したことを特徴とする請求項１に記載の弾球遊技機。
　【請求項３】　前記主制御手段（４３）側から前記払い出し制御手段（４９）側へと一方向通信にてコマンド送信可能に構成し、前記ＲＡＭ（４６）（５７）を前記主制御手段（４３）及び／又は前記払い出し制御手段（４９）に備えたことを特徴とする請求項１又は２に記載の弾球遊技機。
　【請求項４】　前記主制御手段（４３）は、前記払い出し制御手段（４９）に送信されるコマンドを該主制御手段（４３）側の前記ＲＡＭ（４６）に記憶する機能と、一旦前記払い出し制御手段（４９）にコマンドを送信した後に前記ＲＡＭ（４６）から該コマンドを読み出して前記払い出し制御手段（４９）に再送信可能にする機能とを備えたことを特徴とする請求項１〜３の何れかに記載の弾球遊技機。
　【請求項５】　遊技状態に関連するデータを記憶する記憶手段を備え、該記憶手段は、電源供給が停止しても記憶データを維持可能な機能を備えたことを特徴とする請求項１〜４の何れかに記載の弾球遊技機。
　【請求項６】　前記ＲＡＭ（４６）（５７）内の記憶データをリセット可能なリセット手段（５３）（６２）を備えたことを特徴とする請求項１〜５の何れかに記載の弾球遊技機。」
の記載を、
「【請求項１】　主に遊技盤（３）側の遊技動作を制御する主制御手段（４３）を設けた主制御基板（４１）と、払い出し手段（３３）の払い出し動作を制御する払い出し制御手段（４９）を設けた払い出し制御基板（３６）とを別々に備え、それら主制御基板（４１）及び払い出し制御基板（３６）に、遊技状態に関連する遊技データを記憶可能なＲＡＭ（４６）（５７）を夫々備えた弾球遊技機であって、主電源手段からの電源供給が停止したときでも前記ＲＡＭ（４６）（５７）に記憶データ維持用のバックアップ電源を供給可能なバックアップ電源手段（５２）（６１）を、前記主制御基板（４１）と前記払い出し制御基板（３６）とに夫々設け
、前記主制御手段（４３）は、前記払い出し制御手段（４９）に送信されるコマンドを該主制御手段（４３）側の前記ＲＡＭ（４６）に記憶する機能と、一旦前記払い出し制御手段（４９）にコマンドを送信した後に前記ＲＡＭ（４６）から該コマンドを読み出して前記払い出し制御手段（４９）に再送信可能にする機能とを備え
　【請求項２】　ＣＰＵ（４４）（５５）と前記ＲＡＭ（４６）（５７）とを内蔵する単一集積回路素子（６５）を備え、該単一集積回路素子（６５）に、前記ＲＡＭ（４６）（５７）にのみバックアップ電源を供給するための電源端子（５０）（５９）を設け、該電源端子（５０）（５９）に前記バックアップ電源手段（５２）（６１）を接続したことを特徴とする請求項１に記載の弾球遊技機。」
と補正する（以下、この補正を「
本件補正２の補正
本願補正発明２
　
２．補正の適否の検討
　しかして、本件補正２の補正は、平成１３年６月２０日の拒絶査定不服審判の請求の日から３０日以内になされた補正であるから、特許法第１７条の２第１項第３号に該当する補正であることは明らかである。
　そして、本件補正２の補正における請求項１の記載と前示の本件補正１の補正における請求項１の記載とを比較すると、本件補正１の補正における請求項１に「停電後の電源復旧により電源が供給されたとき」の文言が記載されていることにより、本願補正発明１の発明特定事項が本願補正発明２の発明特定事項に対してさらに限定されているのに対して、本件補正２の補正における請求項１には前記「停電後の電源復旧により電源が供給されたとき」の文言が記載されていない点でのみ相違していることから、本件補正２の補正は、「特許請求の範囲の減縮」を補正の目的とする前記本件補正１の補正と同じく、特許法第１７条の２第４項第２号の「特許請求の範囲の減縮」を目的とするものに該当する。
　そこで、以上のとおり、本件補正２の補正が特許法第１７条の２第４項第２号の「特許請求の範囲の減縮」を目的とする補正であるので、本件補正２の補正後の請求項１に記載された本願補正発明２が特許出願の際独立して特許を受けることができるものであるか否か、すなわち、平成１５年改正前の特許法第１７条の２第５項において準用する同法第１２６条第４項の規定に適合するか否かについて検討する。
　ところで、上記「２．補正の適否の検討」欄に前示した検討から、本件補正２の補正における本願補正発明２が、本件補正１の補正における本願補正発明１の上位概念の発明であることは明らかである。そして、本願補正発明１が、前示のとおり、引用発明１及び周知技術に基いて当業者が容易に発明をすることができたものであり、特許法第２９条第２項の規定により、特許を受けることができない発明であるとして、平成１５年改正前の特許法第１７条の２第５項において準用する同法第１２６条第４項に規定するところの「特許出願の際独立して特許を受けることができるもの」に適合していないから、本件補正１の補正が、同法第１５９条第１項において読み替えて準用する同法第５３条第１項の規定により却下すべきものであるとされた以上、前記本願補正発明１の上位概念の発明である本願補正発明２も、前記本願補正発明１と同じく、引用発明１及び周知技術に基いて当業者が容易に発明をすることができたものであるということができるので、特許法第２９条第２項の規定により、特許を受けることができない発明であるとして、平成１５年改正前の特許法第１７条の２第５項において準用する同法第１２６条第４項に規定するところの「特許出願の際独立して特許を受けることができるもの」に適合していないことになるから、本件補正２の補正も、同法第１５９条第１項において読み替えて準用する同法第５３条第１項の規定により却下すべきものである。
　
第４　本願発明について
１．本願発明
　上記「第２」及び「第３」の各欄に前述した理由により、平成１３年６月２０日付及び平成１３年７月１７日付の各手続補正が却下されたことにより、当審が審理すべき本願発明は、平成１２年１２月１５日付の手続補正により補正された明細書の特許請求の範囲の請求項１ないし請求項６に記載された事項により特定されるとおりのものであるところ、その【請求項１】に係る発明は、次のとおりのもの（以下、これを「
本願発明１
　「主に遊技盤（３）側の遊技動作を制御する主制御手段（４３）を設けた主制御基板（４１）と、払い出し手段（３３）の払い出し動作を制御する払い出し制御手段（４９）を設けた払い出し制御基板（３６）とを別々に備え、それら主制御基板（４１）及び払い出し制御基板（３６）に、遊技状態に関連する遊技データを記憶可能なＲＡＭ（４６）（５７）を夫々備えた弾球遊技機であって、主電源手段からの電源供給が停止したときでも前記ＲＡＭ（４６）（５７）に記憶データ維持用のバックアップ電源を供給可能なバックアップ電源手段（５２）（６１）を、前記主制御基板（４１）と前記払い出し制御基板（３６）とに夫々設けたことを特徴とする弾球遊技機。」
　
２．引用刊行物及び該引用刊行物の記載事項
　原審における拒絶査定の理由に引用された刊行物であって本願特許出願前に頒布された引用刊行物１ないし３には、上記「第２」の「３．独立特許要件の有無」の「（２）引用刊行物及び該引用刊行物の記載事項」の「ア．」ないし「ウ．」欄に摘記したとおりの技術事項が記載されている。
　また、前記引用刊行物１に記載されている発明（引用発明１）は、前記「ア．」欄に前示したとおりである。
　
３．対比・判断
　前示のとおり、本件補正１の補正後の本願補正発明１の構成は、本願発明１に係る補正前の請求項１に記載されていた「主制御手段（４３）」について、「前記主制御手段（４３）は、前記払い出し制御手段（４９）に送信されるコマンドを該主制御手段（４３）側の前記ＲＡＭ（４６）に記憶する機能と、一旦前記払い出し制御手段（４９）にコマンドを送信した後、停電後の電源復旧により電源が供給されたときに前記ＲＡＭ（４６）から該コマンドを読み出して前記払い出し制御手段（４９）に再送信可能にする機能とを備えた」の発明特定事項を本願発明１に付加する限定をした補正の結果によるものであるから、本願発明１が本願補正発明１の上位概念の発明であることは明らかである。
　してみると、本願発明１の下位概念の発明に当たる本願補正発明１が、前記「第２」の「３．独立特許要件の有無」の「（４）相違点についての判断」及び「（５）むすび」欄に前述したとおり、引用発明１及び周知技術に基いて当業者が容易に発明をすることができたものである以上、本願補正発明１の上位概念に相当する構成からなる本願発明１も、本願補正発明１についての理由と同様の理由により、引用発明１及び周知技術に基いて当業者が容易に発明をすることができたというべきである。
　
４．むすび
　以上のとおり、本願発明１は、上記引用刊行物１に記載の発明及び周知技術に基いて当業者が容易に発明をすることができたものであり、本願発明１が特許法第２９条第２項の規定により特許を受けることができないから、本願の他の請求項に係る発明を検討するまでもなく、本願は拒絶すべきものである。
　よって、結論のとおり審決する。